(57)【要約】【課題】火災が発生した場合にも、建築用パネルの壁体内通気路を閉塞して、遮炎することによって、建築用壁体が燃え広がるのを効果的に防止することが可能な、遮炎機能を備えた建築用壁体および遮炎機能を備えた建築物、ならびに建築物の防火方法を提供する。【解決手段】略矩形状の枠体と、枠体に面方向に張設された面材と、枠体と面材に囲まれた通気空間と、枠体に形成され、通気空間と連通する通気開口孔とを備えるとともに、枠体の少なくとも一辺が、複数の積層された枠体部材と、複数の枠体部材からなる枠体の中間位置に形成され、通気開口孔の一部を構成する通気層と、通気層に設けられ、熱により熱膨張することによって、通気層を閉塞する遮炎機能を備えた遮炎部材とを備える。【選択図】図１
2011185039.tif 000002
【特許請求の範囲】
【請求項１】
略矩形状の枠体と、
前記枠体に面方向に張設された面材と、
前記枠体と面材に囲まれた通気空間と、
前記枠体に形成され、前記通気空間と連通する通気開口孔と、を備えるとともに、
前記枠体の少なくとも一辺が、
複数の積層された枠体部材と、
前記複数の枠体部材からなる枠体の中間位置に形成され、前記通気開口孔の一部を構成する通気層と、
前記通気層に設けられ、熱により熱膨張することによって、前記通気層を閉塞する遮炎機能を備えた遮炎部材と、を備え、
前記複数の枠体部材の内周側枠体部材に形成された通気開口孔と、外周側枠体部材通気開口孔の開口位置とが、一致しないように形成されていることを特徴とする遮炎機能を備えた建築用壁体。
【請求項２】
前記複数の枠体部材が、内周側枠体部材と、外周側枠体部材と、これらの内周側枠体部材と外周側枠体部材との間に配置された中間枠体部材とを備え、
前記中間枠体部材が、一対の一定間隔離間した長尺状の中間枠部材から構成されるとともに、
前記一対の中間枠部材の間の間隙によって通気層が形成されていることを特徴とする請求項１に記載の遮炎機能を備えた建築用壁体。
【請求項３】
前記遮炎部材が、前記一対の中間枠部材の対向面の少なくとも一方に設けられていることを特徴とする請求項２に記載の遮炎機能を備えた建築用壁体。
【請求項４】
前記遮炎部材が、前記一対の中間枠部材の対向面の少なくとも一方に沿って付設されたシート状の遮炎部材であることを特徴とする請求項３に記載の遮炎機能を備えた建築用壁体。
【請求項５】
請求項１から４のいずれかに記載の遮炎機能を備えた建築用壁体から構成される壁体内通気路を有することを特徴とする遮炎機能を備えた壁体構造。
【請求項６】
請求項１から４のいずれかに記載の建築用壁体から構成される壁体内通気路を有する壁体構造を備えたことを特徴とする遮炎機能を備えた建築物。
【請求項７】
屋根裏に形成された小屋裏空間と、床下に形成された床下空間と、天井裏に形成された天井空間のうち、少なくとも一つが、
請求項１から４のいずれかに記載の遮炎機能を備えた建築用壁体から構成される壁体構造の壁体内通気路と連通されていることを特徴とする遮炎機能を備えた建築物。
【請求項８】
屋根裏に形成された換気部を備えた小屋裏空間と、
床下に形成された換気部を備えた床下空間とを備え、
前記小屋裏空間と床下空間とが、請求項１から４のいずれかに記載の遮炎機能を備えた建築用壁体から構成される壁体構造の壁体内通気路と連通するように構成されていることを特徴とする遮炎機能を備えた建築物。
【請求項９】
請求項１から４のいずれかに記載の遮炎機能を備えた建築用壁体を用いて建築物を構築して、
前記通気層に設けられた遮炎部材を、熱により熱膨張させることによって、通気層を閉塞して遮炎することを特徴とする建築物の防火方法。
【発明の詳細な説明】
【技術分野】
【０００１】
本発明は、例えば、火災が発生した場合にも、建築用パネルの壁体内通気路を閉塞して、遮炎することによって、建築用壁体が燃え広がるのを効果的に防止することが可能な、遮炎機能を備えた建築用壁体および遮炎機能を備えた建築物、ならびに建築物の防火方法に関する。
【背景技術】
【０００２】
従来より、例えば、ツーバイフォー工法などの枠組工法において、効率良く施工するために、工場などで予め製造した壁パネルを用いて建築物を施工する枠組壁工法が用いられるようになっている。
【０００３】
この枠組壁工法では、壁パネル内に断熱材などを装着した密閉構造であるので、夏場などにおいて、熱がこもってしまい、居室空間が暑くなってしまうことになる。また、冬場において、居室空間と外気との温度差が大きい場合には、壁内に結露が発生した場合に、水蒸気をパネル外に排出できないために、耐久性を阻害するおそれがあった。
【０００４】
このため、従来より、壁内（壁パネル内）に通気空間を設けて、床下空間から、小屋裏空間に通じる内側通気路を設けるようにして、外気を取り入れるようにした壁内通気工法が用いられるようになっている。このような壁内通気工法で構築した木造住宅などの建築物は、躯体の内部に湿気または熱気がこもりにくいものである点で優れている。
【０００５】
また、このような壁内通気工法で構築した建築物では、火災が発生した場合にも、燃え広がらないように、防火性を高めるために、壁と床下空間の間、壁と壁の間、壁と天井の間、壁と小屋裏空間との間の通気部において、通気部を遮炎する遮炎措置が採られている。
【０００６】
すなわち、このような通気部において、通気開口面積を制御する火炎ストッパーを設けたり、熱で膨張することによって通気部を閉塞する膨張部材を設けたり、火災時に通気部を閉止する防火ダンパーなどを用いて、通気部を遮炎する遮炎措置が採られている。
【０００７】
例えば、特許文献１（実開平６−２２４１６公報）では、図１１に示したように、壁体１００内に設けた通気空間１０２内の任意の場所に配置する火炎ストッパー１０４が開示されている。
【０００８】
この火炎ストッパー１０４は、例えば、図１１に示したように、壁１０６の高さの略中間位置に、柱や間柱の間に平面の状態で取り付けられものであって、火炎ストッパー１０４には、開口部１０８が形成されている。そして、この開口部１０８の面積を、壁内の平面面積の３〜３０％以内の開口面積となるように制御することによって、燃焼する壁内を酸素欠乏状態にして、燃え広がるのを防止することが行われている。
【０００９】
また、特許文献２（特開平８−１３５０３８号公報）では、図１２に示したように、例えば、通気部である壁内空間２００の１、２階の天井付近に、複数個のダンパ−型防火遮蔽板２０２が設けられている。そして、火災時にこのダンパ−型防火遮蔽板２０２を閉止することによって、壁内空間２００の通気部を遮炎することが行われている。
【００１０】
さらに、特許文献２では、通気部である壁内空間２００に、図１３に示したように、横材である防火遮蔽板２０８に複数の通気孔２０４を設けて、この通気孔２０４内に、加熱によって、発泡膨張して、通気孔２０４を閉塞する膨張部材２０６を設けることによって通気部を遮炎することが行われている。
【００１１】
また、特許文献３（特開２００４−１６２５１７号公報）では、図１４に示したように、壁枠体３００の内周側枠体部材３０２と外周側枠体部材３０４の間には、通気性を有するとともに、火炎の通過を遮断する機能を有する金網などで構成された網状体３０６が、通気孔３０８を塞ぐように設けられている。
【００１２】
この網状体３０６によって、通常時には、通気孔３０８を介して、壁体内通気が行われ、火炎が発生した際には、火炎が通気孔３０８を介して、伝播するのを防止するようになっている。
【００１３】
また、この網状体３０６の通気孔３０８の部分には、所定の温度で発泡する耐火性の粒状の発泡材３１０が配置されており、これにより、火災時に発泡材３１０が発泡して、通気孔３０８を閉塞して、遮炎効果を発揮するようになっている。
【先行技術文献】
【特許文献】
【００１４】
【特許文献１】実開平６−２２４１６公報
【特許文献２】特開平８−１３５０３８号公報
【特許文献３】特開２００４−１６２５１７号公報
【発明の概要】
【発明が解決しようとする課題】
【００１５】
このような遮炎措置は、設計者が、適宜、設計図の納まりに合わせて、計画することにより遮炎措置を行っているのが実情である。すなわち、建築物の形状は、設計に応じて、多種多様な形状のものであり、全ての設計形状に対応できるような遮炎措置はなく、各部分の納まりに合うように、遮炎措置が個別に行われているので、遮炎措置の形式なども煩雑なものとなっている。
【００１６】
また、このように建築物の形状に応じて、通気部の形状も多種多様な形状であるので、遮炎部材の取り付け作業に、施工や設計に手間、時間がかかることになり、コストも高くつくことにもなる。
【００１７】
従って、従来では、工場生産化が困難であり、施工工事の合理化が図れない工法となっているのが現状である。
また、特許文献１（実開平６−２２４１６公報）では、図１１に示したように、壁１０６の高さの略中間位置に、柱や間柱の間に平面の状態で取り付けられているので、壁１０６の全面に火炎を受けた場合には、壁全体が燃え広がってしまうことになる。また、火炎ストッパー１０４には、開口部１０８の面積を制御する方法では、火災の勢いが大きい場合には、完全に遮炎することは難しいものである。
【００１８】
また、火炎ストッパー１０４を横架材などに密着させる場合にも、火炎ストッパー１０４と横架材の孔などを同じにすることは、困難な場合が多い。
また、特許文献２（特開平８−１３５０３８号公報）では、図１２に示したように、通気部である壁内空間２００内に、横材である防火遮蔽板２０２を施工しなければならず、施工に手間と時間が必要となり、コストが高くつくことになる。しかも、図１３の場合には、防火遮蔽板２０８を施行する手間が必要であるとともに、防火遮蔽板２０８の複数の通気孔２０４内に、膨張部材２０６を設ける必要があるので、施工などが難しく、施工に手間と時間が必要となり、コストが高くつくことになる。
【００１９】
一方、図１５に示したように、壁枠体４００を単一の枠体として、遮炎措置４０２を施した場合には、壁枠体４００自体が、火災で燃えることになるので、構造強度を確保するために、壁枠体４００自体が大きくなってしまい、コストが高くつくことにもなる。
【００２０】
本発明は、このような現状に鑑み、遮炎措置に応じて建築物の設計を変える必要がなく、全ての建築物において、同じ遮炎納まり構造で建築することが可能で、遮炎措置性能が均一で優れた遮炎性能を発揮できるとともに、構造強度を確保することができ、しかも、工場生産が可能であり、品質確保が容易であり、現場での遮炎工事が不要で施工が簡単で作業時間を短縮することができ、コストも低減できる遮炎機能を備えた建築用壁体および遮炎機能を備えた建築物、ならびに建築物の防火方法を提供することを目的とする。
【課題を解決するための手段】
【００２１】
本発明は、前述したような従来技術における課題及び目的を達成するために発明されたものであって、本発明の遮炎機能を備えた建築用壁体は、
略矩形状の枠体と、
前記枠体に面方向に張設された面材と、
前記枠体と面材に囲まれた通気空間と、
前記枠体に形成され、前記通気空間と連通する通気開口孔と、を備えるとともに、
前記枠体の少なくとも一辺が、
複数の積層された枠体部材と、
前記複数の枠体部材からなる枠体の中間位置に形成され、前記通気開口孔の一部を構成する通気層と、
前記通気層に設けられ、熱により熱膨張することによって、前記通気層を閉塞する遮炎機能を備えた遮炎部材と、を備えることを特徴とする。
【００２２】
このように、パネルの構造部材を構成する枠体を、複数の積層された枠体部材として、この複数の枠体部材からなる枠体の中間位置に形成され、通気開口孔の一部を構成する通気層に、遮炎機能を備えた遮炎部材を設けている。
【００２３】
従って、火災が発生していない通常時には、複数の積層された枠体部材が構造部材として機能して構造強度を維持することができる。
また、万一、火災が発生した場合には、複数の枠体部材からなる枠体の中間位置に形成した通気層に設けた遮炎部材によって、確実に遮炎することができる。しかも、この遮炎時には、内側か外側の火炎面の一方のみの枠体部材のみが火炎に晒されるだけであるので、非火災側に位置する枠体部材によって構造強度が保たれることになる。
【００２４】
さらに、複数の枠体部材からなる枠体の中間位置に、小さな通気空間である通気層を設けるので、どのような幅の壁であっても、均一な遮炎空間とすることができ、遮炎するのが容易であり、例えば、同じ形状、厚みの熱膨張耐火材などから構成される遮炎部材を使用することができるので、遮炎部材の使用量を小さくすることができ、コストを抑えることができる。
【００２５】
従って、遮炎措置に応じて建築物の設計を変える必要がなく、全ての建築物において、同じ遮炎納まり構造で建築することが可能で、遮炎措置性能が均一で優れた遮炎性能を発揮できるとともに、火災発生時にも、構造強度を確保することができる。
【００２６】
しかも、工場生産が可能であり、品質確保が容易であり、現場での遮炎工事が不要で施工が簡単で作業時間を短縮することができ、施工コストも低減できる。
さらに、例えば、外断熱でも、内断熱でも適用可能であり、建築物の断熱工法などを自由に選択することができる。
【００２７】
また、本発明の遮炎機能を備えた建築用壁体は、
前記複数の枠体部材が、内周側枠体部材と、外周側枠体部材と、これらの内周側枠体部材と外周側枠体部材との間に配置された中間枠体部材とを備え、
前記中間枠体部材が、一対の一定間隔離間した長尺状の中間枠部材から構成されるとともに、
前記一対の中間枠部材の間の間隙によって通気層が形成されていることを特徴とする。
【００２８】
このように構成することによって、内周側枠体部材と外周側枠体部材との間に、中間枠体部材を配置するとともに、中間枠部材の間の間隙によって通気層を形成するだけで良いので、構造が簡単で、工場生産が容易で大量生産することができ、コストを低減することができる。
【００２９】
また、本発明の遮炎機能を備えた建築用壁体は、前記遮炎部材が、前記一対の中間枠部材の対向面の少なくとも一方に設けられていることを特徴とする。
このように構成することによって、一対の中間枠部材の対向面の少なくとも一方に設けられた、火災発生時に熱によって膨張する遮炎部材によって、確実に通気層を閉塞することができ、内周側か外周側の火炎面の一方のみの枠体部材のみが火炎に晒されるだけであるので、非火災側に位置する枠体部材によって構造強度を維持することが可能である。
【００３０】
また、本発明の遮炎機能を備えた建築用壁体は、前記遮炎部材が、前記一対の中間枠部材の対向面の少なくとも一方に沿って付設されたシート状の遮炎部材であることを特徴とする。
【００３１】
このように構成することによって、例えば、同じ形状、厚みの熱膨張耐火材などから構成されるシート状に遮炎部材を、一対の中間枠部材の対向面に付設するだけでよいので、遮炎部材の装着が簡単で、技術の熟練も不要であり、同じ性能、品質の建築用壁体を得ることができるとともに、工場生産が容易であり、コストを低減することができる。
【００３２】
また、本発明の遮炎機能を備えた建築用壁体は、
前記複数の枠体部材が、内周側枠体部材と、外周側枠体部材とを備え、
前記内周側枠体部材と外周側枠体部材の少なくとも一方に溝部が形成されるとともに、
前記溝部によって通気層が形成されていることを特徴とする。
【００３３】
このように構成することによって、内周側枠体部材と外周側枠体部材の少なくとも一方に溝部を形成することによって通気層を形成することができるので、構造が簡単であり、構成部材の部品点数を低減することができ、工場生産が容易であり、コストを低減することができる。
【００３４】
また、本発明の遮炎機能を備えた建築用壁体は、前記遮炎部材が、前記溝部の対向側壁の少なくとも一方に設けられていることを特徴とする。
このように構成することによって、前記溝部の対向側壁の少なくとも一方に設けられた、火災発生時に熱によって膨張する遮炎部材によって、確実に通気層を閉塞することができ、遮炎することができ、内周側か外周側の火炎面の一方のみの枠体部材のみが火炎に晒されるだけであるので、非火災側に位置する枠体部材によって構造強度を維持することが可能である。
【００３５】
また、本発明の遮炎機能を備えた建築用壁体は、前記遮炎部材が、前記溝部の対向側壁の少なくとも一方に沿って付設されたシート状の遮炎部材であることを特徴とする。
このように構成することによって、例えば、同じ形状、厚みの熱膨張耐火材などから構成されるシート状の遮炎部材を、溝部の対向壁に付設するだけでよいので、遮炎部材の装着が簡単で、技術の熟練も不要であり、同じ性能、品質の建築用壁体を得ることができるとともに、工場生産が容易であり、コストを低減することができる。
【００３６】
また、本発明の遮炎機能を備えた建築用壁体は、前記複数の枠体部材の内周側枠体部材に形成された通気開口孔と、外周側枠体部材通気開口孔の開口位置とが、一致するように形成されていることを特徴とする。
【００３７】
このように内周側枠体部材に形成された通気開口孔と、外周側枠体部材に形成された通気開口孔の開口位置とが一致するので、火災が発生していない通常時には、これらの通気開口孔を介して、壁体内通気が確保し易くなり、夏場に熱気のこもりや、冬場の結露の発生による耐久性低下はしづらい。
【００３８】
また、本発明の遮炎機能を備えた建築用壁体は、前記複数の枠体部材の内周側枠体部材に形成された通気開口孔と、外周側枠体部材に形成された通気開口孔の開口位置とが、一致しないように形成されていることを特徴とする。
【００３９】
このように内周側枠体部材に形成された通気開口孔と、外周側枠体部材に形成された通気開口孔の開口位置とが一致しないので、万一火災が発生した場合にも、装着した遮炎部材の遮炎機能が働く前の初期段階において、いっきに火炎が通気開口孔を通過することがないので、初期遮炎効果に優れることになる。
【００４０】
また、本発明は、上記のいずれかに記載の遮炎機能を備えた建築用壁体から構成される壁体内通気路を有する遮炎機能を備えた壁体構造、または、建築物である。
また、本発明は、屋根裏に形成された小屋裏空間と、床下に形成された床下空間と、天井裏に形成された天井空間のうち、少なくとも一つが、
上記のいずれかに記載の遮炎機能を備えた建築用壁体から構成される壁体構造の壁体内通気路と連通されていることを特徴とする遮炎機能を備えた建築物である。
【００４１】
さらに、本発明は、屋根裏に形成された換気部を備えた小屋裏空間と、
床下に形成された換気部を備えた床下空間とを備え、
前記小屋裏空間と床下空間とが、上記のいずれかに記載の遮炎機能を備えた建築用壁体から構成される壁体構造の壁体内通気路と連通するように構成されていることを特徴とする遮炎機能を備えた建築物である。
【００４２】
また、本発明は、上記のいずれかに記載の遮炎機能を備えた建築用壁体を用いて建築物を構築して、
前記通気層に設けられた遮炎部材を、熱により熱膨張させることによって、通気層を閉塞して遮炎することを特徴とする建築物の防火方法である。
【発明の効果】
【００４３】
本発明によれば、パネルの構造部材を構成する枠体を、複数の積層された枠体部材として、この複数の枠体部材からなる枠体の中間位置に形成され、通気開口孔の一部を構成する通気層に、遮炎機能を備えた遮炎部材を設けている。
【００４４】
従って、火災が発生していない通常時には、複数の積層された枠体部材が構造部材として機能して構造強度を維持することができる。
また、万一、火災が発生した場合には、複数の枠体部材からなる枠体の中間位置に形成した通気層に設けた遮炎部材によって、確実に遮炎することができる。しかも、内側か外側の火炎面の一方のみの枠体部材のみが火炎に晒されるだけであるので、非火災側に位置する枠体部材によって構造強度が保たれることになる。
【００４５】
さらに、複数の枠体部材からなる枠体の中間位置に、小さな通気空間である通気層を設けるので、どのような幅の壁であっても、均一な遮炎空間とすることができ、遮炎するのが容易であり、例えば、同じ形状、厚みの熱膨張耐火材などから構成される遮炎部材を使用することができるので、遮炎部材の使用量を小さくすることができ、コストを抑えることができる。
【００４６】
従って、遮炎措置に応じて建築物の設計を変える必要がなく、全ての建築物において、同じ遮炎納まり構造で建築することが可能で、遮炎措置性能が均一で優れた遮炎性能を発揮できるとともに、火災発生時にも、構造強度を確保することができる。
【００４７】
しかも、工場生産が可能であり、品質確保が容易であり、現場での遮炎工事が不要で施工が簡単で作業時間を短縮することができ、施工コストも低減できる。
さらに、例えば、外断熱でも、内断熱でも適用可能であり、建築物の断熱工法などを自由に選択することができる。
【図面の簡単な説明】
【００４８】
【図１】図１は、本発明の遮炎機能を備えた建築用壁体を建築用パネルとして、木造の枠組壁工法に適用した実施例を示す建築物の部分概略断面図である。
【図２】図２は、本発明の遮炎機能を備えた建築用壁体を建築用パネルとして用いた場合の部分拡大斜視図である。
【図３】図３は、本発明の遮炎機能を備えた建築用壁体を建築用パネルとして用いた場合の部分拡大断面図である。
【図４】図４は、本発明の遮炎機能を備えた建築用壁体を建築用パネルとして用いた場合の概略図である。
【図５】図５は、本発明の遮炎機能を備えた建築用壁体を建築用パネルとして用いた場合の部分拡大斜視図である。
【図６】図６は、本発明の遮炎機能を備えた建築用壁体を建築用パネルとして用いた場合の概略図である。
【図７】図７は、本発明の遮炎機能を備えた建築用壁体を建築用パネルとして用いた場合の部分拡大断面図である。
【図８】図８は、本発明の遮炎機能を備えた建築用壁体を建築用パネルとして用いた場合の部分拡大断面図である。
【図９】図９は、本発明の遮炎機能を備えた建築用壁体を建築用パネルとして用いた場合の部分拡大断面図である。
【図１０】図１０は、本発明の遮炎機能を備えた建築用壁体を建築用パネルとして用いた場合の部分拡大断面図である。
【図１１】図１１は、従来の建築物の遮炎措置を示す概略図である。
【図１２】図１２は、従来の建築物の遮炎措置を示す概略図である。
【図１３】図１３は、従来の建築物の遮炎措置を示す概略図である。
【図１４】図１４は、従来の建築物の遮炎措置を示す概略図である。
【図１５】図１５は、従来の建築物の遮炎措置を示す概略図である。
【発明を実施するための形態】
【００４９】
以下、本発明の実施の形態（実施例）を図面に基づいてより詳細に説明する。
図１は、本発明の遮炎機能を備えた建築用壁体を建築用パネルとして、木造の枠組壁工法に適用した実施例を示す建築物の部分概略断面図である。
【００５０】
図１において、１０は全体で本発明の建築物を示している。
図1に示したように、建築物１０は、基礎１２を備えており、基礎１２の内側には、床下空間１４が形成されている。また、基礎１２には、床下換気口１６が形成されており、この床下換気口１６には、手動または電動などにより開閉可能な床下開閉ダンパー１８が設けられている。
【００５１】
また、基礎１２の外側には、基礎周り断熱材２０が設けられている。なお、この基礎周り断熱材２０は、床下空間１４内の温度が、外気温の影響を受けにくくするために、基礎１２の外側に施すことが望ましいが、屋内側であってもよい。
【００５２】
一方、基礎１２の上部には、土台２２が設けられており、この土台２２の上方に、根太２４を介して、１階の居室空間２６が形成されている。
この１階の居室空間２６には、本発明の建築用壁体を構成する建築用パネル２８が、根太２４と、１階と２階の間に設けられた、例えば、胴差し、端根太などの根太３０との間に設けられている。
【００５３】
さらに、根太３０の上方には、２階の居室空間３２が形成されており、この２階の居室空間３２にも、本発明の建築用壁体を構成する建築用パネル２８が、２階と小屋裏空間３４との間に設けられた、例えば、胴差し、端根太などの根太３６との間に設けられている。
【００５４】
また、図1に示したように、２階の居室空間３２の間の壁にも、本発明の建築用壁体を構成する建築用パネル２８が設けられている。
また、本発明の建築物１０は、その外壁において外断熱を施した木造住宅であって、外側通気空間としての外側通気層３８と、建築用パネル２８の中空層を内側通気層として利用した壁体内通気路４０とを備えている。
【００５５】
このように外断熱を施すとともに、外側通気層３８を設けるために、建築用パネル２８の外側に、外側断熱材４２が張り巡らされている。そして、この外側断熱材４２の外面に、図示しない上下方向に延びる胴縁を介して、建築用パネル２８と一定間隔離間して外壁材４４が設けられている。この外壁材４４と外側断熱材４２との間に形成された間隙によって、外側通気層３８が形成されている。なお、外側通気層３８の下端は、大気中に連通されている。
【００５６】
一方、建築物１０の小屋裏空間３４も、垂木４６の外側に、小屋裏断熱材４８が設けられており、外断熱が施されている。
そして、この小屋裏断熱材４８の外側には、垂木５０を介して、屋根材５２が一定間隔離間して設けられており、この屋根材５２と小屋裏断熱材４８との間に形成された間隙によって、小屋裏外側通気層５４が形成されている。
【００５７】
そして、外側通気層３８と小屋裏外側通気層５４が連通しており、屋根部に設けた、図示しない、例えば、棟部換気口などの排気口に連通されている。
なお、外側通気層３８が、軒下近傍で、外気と連通するとともに、外側通気層３８が、小屋裏外側通気層５４と連通しないようにすることもできる。この場合には、屋根部の熱気を排出するために、軒下近傍に外気と連通する開口部を設けておくようにすればよい。
【００５８】
また、図１に示したように、小屋裏空間３４には、その上方に、外気と連通するとともに、開閉度を調整でき開閉可能な開口扉５６を備えた小屋裏開口部５８が設けられている。
【００５９】
なお、この場合、開閉可能な開口扉５６の代わりに、また、開口扉５６とともに、風量を調整できるファンや換気扇などを設けることも可能である。
この場合、基礎周り断熱材２０、外側断熱材４２、小屋裏断熱材４８としては、特に限定されるものではないが、合成樹脂発泡断熱板が好ましく、例えば、ポリスチレン、ポリエチレン、ポリ塩化ビニルなどの合成樹脂を発泡することにより形成される独立気泡を有する樹脂発泡体の板であることが望ましい。
【００６０】
なかでも高度の剛性と断熱性および透湿抵抗の高いポリスチレンの押出し発泡板を用いるのが効果的である。しかしながら、断熱材としては、このような合成樹脂押出し発泡板に限らず、グラスウール、ロックウールなどを板状に形成させた繊維系のものも使用できる。
【００６１】
また、外壁材４４としては、例えば、モルタル壁、サイディング壁、コンクリート壁などが使用可能であるが、その他の壁材であっても良い。また、屋根材５２としては、例えば、かわら屋根材、スレート屋根材、金属板平ぶき屋根材などが使用可能であるが、その他の屋根材であっても良い。
【００６２】
一方、建築用パネル２８は、図２に示したように、略矩形状の枠体６０を備えている。この枠体６０は、上方枠体６２と、下方枠体６４と、これらの上方枠体６２と下方枠体６４との間に、一定間隔離間して設けられた複数の縦枠体６６とから構成されている。
【００６３】
そして、これらの枠体６０に面方向に張設された、建築物の外側に配置される面材である構造用面材６８と、建築物の内側（居室空間側）に配置される面材である内装材７０とを備えている。
【００６４】
これにより、枠体６０と構造用面材６８、内装材７０に囲まれた通気空間７２が形成されるようになっている。
この場合、構造用面材６８としては、特に限定されるものではなく、例えば、合板、木質パネル、無機質パネルなどを用いることができる。また、内装材７０としても、特に限定されるものではなく、石膏ボードなどの内装材料を用いることができる。
【００６５】
そして、図２に示したように、下方枠体６４には、通気空間７２と連通する複数の通気開口孔７４が形成されている。
一方、図２および図３（Ａ）に示したように、上方枠体６２は、内周側枠体部材７６と、外周側枠体部材７８とを備えている。そして、これらの内周側枠体部材７６と外周側枠体部材７８との間の中間位置に配置された中間枠体部材８０とを備えている。
【００６６】
この場合、中間枠体部材８０は、一対の一定間隔離間した長尺状の中間枠部材８０ａ、８０ｂから構成されるとともに、一対の中間枠部材８０ａ、８０ｂの間の長尺状に延びた間隙によって、通気開口孔の一部を構成する通気層８２が形成されている。
【００６７】
そして、一対の中間枠部材８０ａ、８０ｂの対向面に沿って、シート状の遮炎部材８４ａ、８４ｂが、例えば、接着剤、釘などの接合部材によって付設されている。
この場合、遮炎部材８４ａ、８４ｂとしては、耐火性発泡材から構成するのが好ましく、例えば、木材の耐熱温度以下の所定温度で、高倍率発泡（例えば、１０〜４０倍発泡）する性能を有するものであるのが望ましい。なお、発泡を開始する温度としては、例えば、６０℃〜２５０℃、好ましくは、２００℃〜２５０℃であり、この温度を超える温度で発泡が完了するものであるのが望ましい。
【００６８】
このような耐火性発泡材としては、例えば、ブチル系、エポキシ系のものなどを使用することができる。
また、遮炎部材８４ａ、８４ｂとしては、その厚さ、幅などは、火災が発生した場合に、熱によって膨張した際に、通気層８２を閉塞するような寸法、位置に配置すればよい。
【００６９】
従って、図３（Ｃ）に示したように、遮炎部材８４ａ、８４ｂを片方だけにすることも可能である。
また、上方枠体６２の内周側枠体部材７６と、外周側枠体部材７８にはそれぞれ、通気空間７２と連通する複数の通気開口孔７６ａ、７８ａが形成されている。
【００７０】
この場合、下方枠体６４に形成される通気開口孔７４、上方枠体６２の内周側枠体部材７６と外周側枠体部材７８に形成される通気開口孔７６ａ、７８ａの形状、大きさは、特に限定されるものではなく、例えば、図５に示したように、円形、楕円形状（図５（Ａ））、三角形状、四角形状（図５（Ｂ）、（Ｃ））、多角形状、切欠形状（図５（Ｄ））などとすることができる。
【００７１】
また、上方枠体６２の内周側枠体部材７６と外周側枠体部材７８に形成される通気開口孔７６ａ、７８ａは開口位置とが一致するように構成してもよい。この場合には、火災が発生していない通常時には、これらの通気開口孔７６ａ、７８ａを介して、壁体内通気が確保し易くなり、夏場に熱気のこもりや、冬場の結露の発生による耐久性低下はしづらい。
【００７２】
また、上方枠体６２の内周側枠体部材７６と外周側枠体部材７８に形成される通気開口孔７６ａ、７８ａは開口位置とが一致しないように構成することもできる。この場合には、万一火災が発生した場合にも、装着した遮炎部材の遮炎機能が働く前の初期段階において、いっきに火炎が通気開口孔を通過することがないので、初期遮炎効果に優れることになる。
【００７３】
さらに、上方枠体６２の内周側枠体部材７６と外周側枠体部材７８に形成される通気開口孔７６ａ、７８ａと、下方枠体６４に形成される通気開口孔７４も、開口位置とが一致することも、一致しないようにすることも可能である。
【００７４】
なお、建築用パネル２８の構成単位としては、図４（Ａ）に示したように、縦枠体６６が外枠を形成したもの、図４（Ｂ）に示したように、外枠の他に中間枠部材として縦枠体６６を備えるものなど、任意の大きさとすることができる。
【００７５】
このように構成することによって、図３（Ｂ）に示したように、火災が発生した場合に、遮炎部材８４ａ、８４ｂが熱によって膨張して、通気層８２を閉塞することにより、遮炎効果を発揮するようになっている。
【００７６】
この場合、このような遮炎措置を、この実施例では、上方枠体６２に設けたが、図６（Ａ）に示したように、下方枠体６４にも遮炎措置を施すこともでき、さらには、図６（Ｂ）に示したように、縦枠体６６にも遮炎措置を施すことも可能であって、少なくとも枠体６０の任意の一辺がこのような遮炎措置が施してあればよく、その組み合わせは任意である。
【００７７】
このように構成される建築用パネル２８は、図１、図７に示したように、土台２２の上方の根太２４と、１階と２階の間に設けられた、例えば、胴差し、端根太などの根太３０との間に設けられている。
【００７８】
そして、図７に示したように、根太２４の通気用切欠２４ａ、建築用パネル２８の下方枠体６４に形成される通気開口孔７４を介して、建築用パネル２８の通気空間７２と床下空間１４とが連通するようになっている。
【００７９】
また、根太３０の上方には、建築用パネル２８が、２階と小屋裏空間３４との間に設けられた、例えば、胴差し、端根太などの根太３６との間に設けられている。
これによって、１階の建築用パネル２８の通気空間７２と、２階の建築用パネル２８の通気空間７２とが、１階の建築用パネル２８の上方枠体６２の通気開口孔７６ａ、７８ａ、通気層８２、根太３０の通気開口孔３０ａ、２階の建築用パネル２８の下方枠体６４に形成される通気開口孔７４を介して、連通するようになっている。
【００８０】
さらに、２階の建築用パネル２８の上方枠体６２の通気開口孔７６ａ、７８ａ、通気層８２、根太３６の通気開口孔３６ａを介して、小屋裏空間３４に連通するようになっている。
【００８１】
このように構成することによって、床下空間１４から、建築用パネル２８の通気空間７２を介して、小屋裏空間３４に連通する壁体内通気路４０が形成されるようになっている。
【００８２】
また、図１に示したように、２階の居室空間３２の間の壁にも、本発明の建築用壁体を構成する建築用パネル２８が設けられている。
この場合には、例えば、図８に示したように、１階の天井空間９０に、床根太９２に通気開口孔９４を設けて、通気を図るようにすればよい。
【００８３】
このように構成することによって、建築用パネルの構造部材を構成する枠体６０を、複数の積層された内周側枠体部材７６と外周側枠体部材７８として、この複数の枠体部材７６、７８からなる枠体の中間位置に、一対の中間枠部材８０ａ、８０ｂにより形成された、通気開口孔の一部を構成する通気層８２に、遮炎機能を備えた遮炎部材８４ａ、８４ｂを設けている。
【００８４】
従って、火災が発生していない通常時には、複数の積層された内周側枠体部材７６と外周側枠体部材７８と、中間枠部材８０ａ、８０ｂとが、構造部材として機能して構造強度を維持することができる。
【００８５】
また、万一、火災が発生した場合には、複数の枠体部材からなる枠体の中間位置に形成した通気層に設けた遮炎部材８４ａ、８４ｂによって、確実に遮炎することができる。しかも、この遮炎時には、内周側か外周側の火炎面の一方のみの枠体部材７６または７８のみが火炎に晒されるだけであるので、非火災側に位置する枠体部材によって構造強度が保たれることになる。
【００８６】
さらに、複数の枠体部材からなる枠体の中間位置に、小さな通気空間である通気層を設けるので、どのような幅の壁でも均一な遮炎空間（通気層８２）とすることができ、遮炎するのが容易であり、例えば、同じ形状、厚みの熱膨張耐火材などから構成される遮炎部材を使用することができるので、遮炎部材の使用量を小さくすることができ、コストを低減することができる。
【００８７】
従って、遮炎措置に応じて建築物の設計を変える必要がなく、全ての建築物において、同じ遮炎納まり構造で建築することが可能で、遮炎措置性能が均一で優れた遮炎性能を発揮できるとともに、構造強度を確保することができる。
【００８８】
しかも、工場生産が可能であり、品質確保が容易であり、現場での遮炎工事が不要で施工が簡単で作業時間を短縮することができ、コストも低減できる。
さらに、例えば、外断熱でも、内断熱でも適用可能であり、建築物の断熱工法などを自由に選択することができる。
【００８９】
さらに、特許文献３（特開２００４−１６２５１７号公報）では、図１４に示したように、火災が発生した場合には、火炎によって、網状体３０６が、熱によって温度上昇が早く、発泡材３１０の発泡が早く、遮炎が即座に行われる利点がある。
【００９０】
これに対して、本発明によれば、特許文献３のような網状体３０６、発泡材３１０を設置する代わりに、複数の枠体部材からなる枠体の中間位置に、小さな通気空間である通気層を設け、この通気層部分に遮炎措置を施すことによって、より遮炎性能、構造強度の向上が図れるとともに、施工、作業時間の短縮化、コストの低減を達成することができる。
【００９１】
なお、この実施例では、本発明の遮炎機能を備えた建築用壁体を建築用パネル２８として、木造の枠組壁工法に適用した実施例を示したが、在来の軸組工法にも用いることができ、この場合には、図９に示したように、根太２４に通気開口孔２４ｂを設けるようにすればよい。
【００９２】
また、上記の実施例では、上方枠体６２は、内周側枠体部材７６と、外周側枠体部材７８と、これらの内周側枠体部材７６と外周側枠体部材７８との間の中間位置に配置された一対の中間枠部材８０ａ、８０ｂとから構成している。
【００９３】
しかしながら、図１０（Ａ）〜（Ｃ）に示したように、上方枠体６２を内周側枠体部材７６と、外周側枠体部材７８とのみから構成して、内周側枠体部材７６と外周側枠体部材７８の少なくとも一方に溝部７６ｂ、７８ｂを形成して、これらの溝部に、遮炎部材８４ａ、８４ｂを設けることもできる。
【００９４】
例えば、図１０（Ａ）は、内周側枠体部材７６に溝部７６ｂを形成したもの、図１０（Ｂ）は、外周側枠体部材７８に溝部７６ｂを形成したもの、図１０（Ｃ）は、内周側枠体部材７６と外周側枠体部材７８の両方に溝部７６ｂ、７８ｂを形成したものを示している。
【００９５】
このように構成することによって、内周側枠体部材７６と外周側枠体部材７８の少なくとも一方に溝部を形成することによって通気層を形成することができるので、構造が簡単であり、構成部材の部品点数を低減することができ、工場生産が容易であり、コストを低減することができる。
【００９６】
さらに、図示しないが、上方枠体６２を、さらに複数の（多数の）積層された内周側枠体部材７６と、外周側枠体部材７８と、これらの内周側枠体部材７６と外周側枠体部材７８との間の中間位置に配置された一対の中間枠部材８０ａ、８０ｂとから構成することももちろん可能である。
【００９７】
以上、本発明の好ましい実施の態様を説明してきたが、本発明はこれに限定されることはなく、例えば、上記実施例では、本発明の遮炎機能を備えた建築用壁体を建築用パネル２８として、木造の枠組壁工法の壁パネルに適用した実施例を示したが、壁パネル以外にも、床パネル、屋根パネルとして使用することも可能である。
【００９８】
また、上記実施例では、本発明の遮炎機能を備えた建築用壁体を建築用パネル２８として、木造の枠組壁工法に適用した実施例を示したが、もちろんパネルとしてではなく、在来工法などの現場施工の壁においても、本発明のような遮炎措置を施して建築用壁体として適用することも可能であるなど本発明の目的を逸脱しない範囲で種々の変更が可能である。
【符号の説明】
【００９９】
１０  建築物
１２  基礎
１４  床下空間
１６  床下換気口
１８  床下開閉ダンパー
２０  断熱材
２２  土台
２４  根太
２４ａ      通気用切欠
２４ｂ      通気開口孔
２６  居室空間
２８  建築用パネル
３０  根太（胴差、床梁）
３０ａ      通気開口孔
３２  居室空間
３４  小屋裏空間
３６  根太（梁、軒桁）
３６ａ      通気開口孔
３８  外側通気層
４０  壁体内通気路
４２  外側断熱材
４４  外壁材
４６  垂木
４８  小屋裏断熱材
５０  垂木
５２  屋根材
５４  小屋裏外側通気層
５６  開口扉
５８  小屋裏開口部
６０  枠体
６２  上方枠体
６４  下方枠体
６６  縦枠体
６８  構造用面材
７０  内装材
７２  通気空間
７４  通気開口孔
７６  内周側枠体部材
７６ａ、７８ａ    通気開口孔
７６ｂ、７８ｂ    溝部
７８  外周側枠体部材
８０  中間枠体部材
８０ａ、８０ｂ    中間枠部材
８２  通気層
８４ａ、８４ｂ    遮炎部材
９０  天井空間
９２  床根太（梁）
９４  通気開口孔
１００      壁体
１０２      通気空間
１０４      火炎ストッパー
１０６      壁
１０８      開口部
２００      壁内空間
２０２      ダンパ−型防火遮蔽板
２０４      通気孔
２０６      膨張部材
２０８      防火遮蔽板
３００      壁枠体
３０２      内周側枠体部材
３０４      外周側枠体部材
３０６      網状体
３０８      通気孔
３１０      発泡材
４００      壁枠体
４０２      遮炎措置
【図１】
2011185039.tif 000003
【図２】
2011185039.tif 000004
【図３】
2011185039.tif 000005
【図４】
2011185039.tif 000006
【図５】
2011185039.tif 000007
【図６】
2011185039.tif 000008
【図７】
2011185039.tif 000009
【図８】
2011185039.tif 000010
【図９】
2011185039.tif 000011
【図１０】
2011185039.tif 000012
【図１１】
2011185039.tif 000013
【図１２】
2011185039.tif 000014
【図１３】
2011185039.tif 000015
【図１４】
2011185039.tif 000016
【図１５】
2011185039.tif 000017